(57)【要約】【課題】  従来の感電防止のために回転子により、導電金具を外部から接触にくくした回転式のランプソケットは、回転子の前面にランプ口金が接触する等で、ランプからの放熱が悪くなるという問題があった。また、ランプソケットの組立性が悪いという問題があった。【解決手段】  本発明のランプソケットは、ソケット本体に、回転子をランプソケットの内部で、ソケット本体の円形開口部の後方側に受け部を前面側として配置し、導電金具を回転子の円筒部の両側に弾接するように取付け、さらに、カバーを取付けるものである。【選択図】図１
2006185801.tif 000002
【特許請求の範囲】
【請求項１】
直管ランプの長手方向の端部と接する前面に円形開口部を有するソケット本体と、該ソケット本体の背面側に取付けたカバーと、前記ソケット本体と前記カバーとで形成した略箱体の内部に収容した回転子及び一対の導電金具とを備えたランプソケットであって、
前記回転子は、前記ソケット本体の前記円形開口部より大きい略円板状の受け部と、この受け部から立設する円筒部とを有し、前記ランプソケット内に設けられた回転子回転案内手段により回転が案内され、前記円筒部には前記受け部から前記円筒部の途中まで、前記回転子を二分するように切欠く、ランプピンのピン径より所定量大きな幅の切欠き部が形成され、前記受け部の切欠き部にランプピンが装着され、
前記ソケット本体は、前記円形開口部の外周の一部に連通して前記ソケット本体の側面に形成されランプピンを挿入するランプピン挿入用開口部を有し、
前記カバーは、前記回転子の回転軸方向の移動を阻止するように前記ソケット本体の背面側に取付けられ、
前記回転子の前記受け部における直管ランプと対向する面を前記ソケット本体の前記円形開口部の後方側に配置するとともに、前記導電金具を、前記回転子の前記円筒部の両側に弾接するように前記ソケット本体に取付けたことを特徴とするランプソケット。
【請求項２】
前記回転子回転案内手段が、前記円形開口部を形成する前面板の裏面側に形成され前記回転子の前記受け部の外周を収容する溝部により構成されたことを特徴とする請求項１に記載のランプソケット。
【請求項３】
前記回転子回転案内手段が、前記カバーの内面から立設して形成された回転案内リブであり、前記カバーを前記ソケット本体に取付けたときに前記回転案内リブが前記回転子の前記円筒部の内周面または外周面のいずれかと接触して前記回転子の回転を案内するようにしたことを特徴とする請求項１に記載のランプソケット。
【請求項４】
請求項１または請求項２に記載のランプソケットと、前記ランプソケットが搭載される照明器具本体と、前記ランプソケットに装着される直管ランプと、前記ランプソケットを介して前記直管ランプを点灯させる点灯装置とを備えた照明器具。
【発明の詳細な説明】
【技術分野】
【０００１】
本発明は、直管ランプ用のランプソケット及びこのランプソケットを搭載した照明器具に関するものであり、特に感電防止のために回転子により、導電金具を外部から接触にくくした回転式のランプソケットに関するものである。
【背景技術】
【０００２】
従来のこの種のランプソケットには、ケーシングに接点ばね部材を組込み、後部カバーを取付けた後、ケーシングの前面より回転部材を組込む構造のものがある（例えば、特許文献１参照）。
また、一対の導電体と、ロータ係止部を前面に有する後ボデイと、背面開口した略箱形であって、前面板に円形のランプピン挿通開口を有し、背面開口を後ボデイで閉塞した前ボデイと、ランプピン挿通開口を回転自在に覆うランプピンを案内するスリットを有するロータとを備えたものがある（例えば、特許文献２参照）。
また、ソケット本体に組込む方向が、回転子は前面側であるランプ側であり、接触片及び蓋体はこれと９０度異なる電線挿入側であるものがある（例えば、特許文献３参照）。
【特許文献１】特開平７−１２２３３８号公報（第５頁〜第８頁、図１〜図３）
【特許文献２】特開平１１−３７５７号公報（第３頁、第４頁、図１）
【特許文献３】特開平８−１６７４６１号公報（第２頁、第３頁、図１〜図４）
【発明の開示】
【発明が解決しようとする課題】
【０００３】
上記従来の特許文献１のランプソケットは、回転部材の前部（本願の受け部に相当）がケーシング前部に配置され、直管ランプを装着時に口金前面が直接当接し、直管ランプの熱の放散が悪くなり、特にランプ寿命の末期にはランプソケットへの悪影響が大きくなる。また、ケーシングに接点ばね及び後部カバーと回転部材とを取付ける方向が反対となり、組立途中でケーシングをひっくり返す等の必要があり、組立が容易でない。
特許文献２のランプソケットは、ロータのつば部は、ランプピン挿通開口にはまり込むが、ロータは、後ボデイに導電体を組込み、前ボデイを組合せた後に、前面側からその係合部を後ボデイのロータ係止部に摺動自在に係止するので、組立が難しくなる。
特許文献３のランプソケットは、特許文献１と同様な組立上の問題がある。
また、特許文献２、３のタイプのランプソケットで、放熱性を良くするために回転子（ロータ）の前面をＲ状にして、ランプの端部とソケット本体の前面と間に隙間を設けることも知られているが、この場合は、ランプピンの挿入時にＲ状の突出部にランプ端部が衝突し易くランプ装着性が悪いという問題がある。
【０００４】
本発明は、上記のような課題を解決するためになされたもので、回転子により感電防止を図ったランプソケットで、装着した直管ランプの放熱性が良くかつ組立が容易なランプソケットを得ることを目的とする。
また、このようなランプソケットを取付けた信頼性の高い、ランプソケットの組立性の良い照明器具を得ることを目的とする。
【課題を解決するための手段】
【０００５】
本発明のランプソケットは、ソケット本体と、カバーと、ソケット本体とカバーとで形成した略箱体の内部に収容した回転子及び一対の導電金具とを備えたランプソケットであって、回転子は、ソケット本体の円形開口部より大きい略円板状の受け部と、この受け部から立設する円筒部とを有し、ランプソケット内に設けられた回転子回転案内手段により回転が案内され、円筒部には受け部から円筒部の途中まで、回転子を二分するように切欠く、ランプピンのピン径より所定量大きな幅の切欠き部が形成され、受け部の切欠き部にランプピンが装着され、ソケット本体は、円形開口部の外周の一部に連通してソケット本体の側面に形成されランプピンを挿入するランプピン挿入用開口部を有し、カバーは、回転子の回転軸方向の移動を阻止するようにソケット本体の背面側に取付けられ、回転子の受け部における直管ランプと対向する面をソケット本体の円形開口部の後方側に配置するとともに、導電金具を、回転子の円筒部の両側に弾接するようにソケット本体に取付けられたものである。
【発明の効果】
【０００６】
本発明のランプソケットは、回転子が、ランプソケットの内部で、ソケット本体の円形開口部の後方側に受け部を前面側として配置され、導電金具が、回転子の円筒部の両側に弾接するように取付けられているので、回転子により感電が防止される。
また、回転子が、ランプソケットの内部で、ソケット本体の円形開口部の後方側に受け部を前面側として配置されているので、直管ランプを装着時に、直管ランプの端部は、受け部の前面より少なくともソケット本体の円形開口部を形成する前面板の板厚分の隙間があり、この隙間から放熱することにより放熱性をよくする。
さらに、本発明のランプソケットの組立は、ソケット本体に、まず、回転子を配置し、次いで、導電金具を取付け、最後にカバーを取付けるように、一方向から単純に組立てることができ、組立が容易である。
【発明を実施するための最良の形態】
【０００７】
実施の形態１．
図１は、実施の形態１のランプソケットを示す分解斜視図であり、図２は、同じくランプソケットを示す正面図であり、図３は、直管ランプのランプピンを挿入した（装着前）図２のランプソケットのＡ−Ａ線断面図であり、図４は、直管ランプのランプピンを装着した図２のランプソケットのＡ−Ａ線断面図である。
【０００８】
本ランプソケットは、直管ランプ１の端部と接するランプソケット前面側に円形開口部を有するソケット本体１の背面側をカバー４で塞いだ略箱体の内部に回転子２及び一対の導電金具３等を収容したものである。
ソケット本体１は、前面側に円形状の円形開口部１ａを有し、背面側が開口した略箱体状のもので、前面側から見て円形開口部１ａの外周の一部に連通してソケット本体１の側面に開口する略矩形状の開口部で、ピン挿入口であるランプピン挿入用開口部１ｂを有し、この開口部からほぼ同断面形状で、下方が開口した溝状体がソケット本体１内を背面方向に形成されている。
また、円形開口部１ａを形成する前面板の裏面からは、円形開口部を中心とし、ランプピン挿入用開口部１ｂに合わせて円形のリブが立設され、回転子２の後述する受け部２ｂの前面を前面板の裏面に当接し、この円形リブにより回転子２の受け部２ｂの外周部を囲い、回転子２を回転するときの回転案内リブ１ｄ（位置決めリブ）とする。また、この回転案内リブ１ｄのランプピン挿入用開口部１ｂの位置から円周に沿って、９０度、１８０度、２７０度の位置に径方向内側に凹状の凹部１ｃが径方向外側に形成されている。
ここで、ランプピン挿入用開口部１ｂの開口幅と回転案内リブ１ｄの凹部１ｃの開口幅とをほぼ同じとする。これにより、ランプピン挿入用開口部１ｂを回転案内リブ１ｄの凹部１ｃ兼用とでき、着脱操作の節度感も同等にできる。
また、ソケット本体１の下部には、導電金具３の取付部、リード線挿入口等が形成されている。
【０００９】
回転子２は、後部の円筒部２ａとこの円筒部を立設するソケット本体１の前面の円形開口部１ａより大きな略円形の板状体である受け部２ｂとからなり、また、回転子２を二分するように、受け部２ｂの外周側から円筒部２ａの途中までを連続して切欠く切欠き部２ｆを受け部２ｂの円周の１８０度の角度をなす位置に対向して形成している。この切欠き部２ｆの受け部２ｂの部分がランプピン５ａを装着するランプピンの装着部２ｃである。さらに、受け部２ｂのランプピンの装着部２ｃから受け部２ｂの円周に沿っての９０度の位置に外周部から径方向外側に突出する凸部２ｄを対向させ一対形成している。
回転子２は、樹脂製であり、両突部２ｄ側からの押圧により切欠き部の幅が狭まり弾性変形可能である。
【００１０】
導電金具３は、下部にリード線の係止部を有する上下に長形の導電性のある板バネ製の板状体であり、上部近傍に凹部が形成され、この凹部をランプピンに接触し給電する給電部３ａとする。導電金具３は、一対組合せてこの凹部同士が向き合うようし設置され、回転子２の円筒部２ａに両側から弾性的に接触する。
カバー４は、ソケット本体１の背面の開口を塞ぐ板状体である。
【００１１】
次に、本ランプソケットの組立の概略を説明する。
回転子２の受け部２ｂをソケット本体１の円形開口部１ａの周りの前面板の裏面の案内リブ１ｂ内で前面板の裏面に当接させ、受け部２ｂを回転案内リブ１ｄに嵌め込む。このとき、回転子２の凸部２ｄを回転案内リブ１ｄの凹部１ｃに収納させ、回転子２のピン挿入溝であるランプピンの装着部２ｃをソケット本体１のランプピン挿入用開口部１ｂに合せる（ランプピンの装着部２ｃとランプピン挿入用開口部１ｂとを一直線上に揃える）。こうすれば、組立後のランプソケットに直ちに直管ランプ５のランプピン５ａを挿入できる。
次いで、一対の導電金具３を給電部３ａである凹部が向き合うようにソケット本体１の下部の取付部に取付け、回転子２の円筒部２ａに弾接するようにする。
それから、組立後にリード線をソケット本体１の下部の挿入穴から挿入し、導電金具３の下部の取付部に取付けることが可能となる。
そして、ソケット本体１の背面側にカバー４を取付ける。
このようにして、一方向に単純に順次組立てるので、本ソケットの組立は容易である。
また、図３、４に示すように、回転子２が、ランプソケットの内部で、ソケット本体１の円形開口部１ａの後方側に受け部２ｂを前面側として配置されているので、直管ランプ５を装着時に、直管ランプ５の端部は、受け部２ｂの前面より少なくともソケット本体１の円形開口部１ａを形成する前面板の板厚分の隙間があり、この隙間から放熱することにより放熱性をよくする。
【００１２】
次いで、本ランプソケットに蛍光灯のような直管ランプ５を装着する場合及び取外す場合を説明する。
装着時には、直管ランプ５の口金部のランプピン５ａをソケット本体１のランプピン挿入用開口部１ｂと円形開口部１ａに挿入し、回転子２の受け部２ｂのピン挿入溝であるランプピンの装着部２ｃにスライドさせて挿入する。この際、通常は図２に示すように、前回の取外し状態になっているため、回転子２はランプピンの装着部２ｃがランプピン挿入用開口部１ｂと一致する位置（ランプピンの挿入位置）にあり、そこで、回転子２の受け部２ｂの凸部２ｄは回転案内リブ１ｄの形成する凹部１ｃに収納されている。このように受け部２ｂの凸部２ｄが凹部１ｃに嵌合しているときは、回転子２の受け部２ｂは押圧を受けない寸法関係となっているので回転子２は変形することなく、また、ランプピンの装着部２ｃの幅は、ランプピン５ａの外径より所定量大きくしているので、挿入が容易である。
【００１３】
次に、直管ランプ５を回転させる。直管ランプ５が回転することで回転子２が回転し、回転案内リブ１ｄの形成する凹部１ｃに収納されている回転子２の受け部２ｂの凸部２ｄが凹部１ｃから抜ける。そこで、回転子２の凸部２ｄは、ソケット本体１の回転案内リブ１ｄに押され、回転子２は切欠き部２ｆにより弾性変形し、回転子２の側壁部２ｅの間隙が狭まり、ランプピンの装着部２ｃはその幅を狭めるように押される。従って、ランプピン５ａは、受け部２ｂのランプピン装着部２ｃの端部で固定され、回転子２の回転方向に対するずれが少なくなる。
【００１４】
回転を進め、初めのランプピンの挿入位置から９０度回転すると、ランプピン５ａが導電金具３の電極部３ａである凹部に達するとともに、回転子２の凸部２ｄがソケット本体１の上下の凹部、即ち、上部のランプピン挿入用開口部１ｂ及び下部の回転案内リブ１ｄの凹部１ｃに収納される。このとき、回転子２の凸部２ｄは、回転案内リブ１ｄからの押圧から解放されるので節度感が得られる。そこで、直管ランプ５を装着位置（ランプピンの装着位置）まで回転させたことを認識できる。このように、直管ランプ５を回転中は、回転子２の受け部２ｂのランプピンの装着部２ｃの端部でランプピン５ａを挟み固定するので、ランプピン５ａを誤差が少なくランプピンの装着位置まで直管ランプ５を回転することができる。
【００１５】
直管ランプ５を取外す場合は、ランプピンの装着位置から直管ランプ５を９０度回転して、ランプの挿入位置、即ち、この場合はランプの脱着位置に戻すことにより、回転子２のランプピンの装着部２ｃの幅が広がり、節度感が得られるとともに、ランプピン５ａの取外しが容易となる。
【００１６】
本ランプソケットは、回転子２の受け部２ｂの切欠き部２ｆをランプピン５ａを装着するランプピンの装着部とし、ランプピンの挿入位置からランプピンの装着位置までの回転中は、回転子２の受け部２ｂの切欠き部２ｆからなるランプピンの装着部２ｃは、凸部２ｄが回転案内リブ１ｄから押圧され、切欠き部２ｆの幅が狭まり、ランプピン５ａが保持され、ランプピン５ａは回転方向にずれを生じないので、ランプピンの装着位置でランプピン５ａが回転子２の正規の取付け位置からずれることがなく、ランプピン５ａと接触金具３との接触が安定し、また、回転子２の凸部２ｄが回転案内リブ１ｄの凹部１ｃに嵌合された場合は、押圧が解放され、回転子２の受け部２ｂの切欠き部２ｆの幅がランプピン５ａのピン径より所定量大きい幅となるので、ランプピンの挿入位置で直管ランプ５を挿入、取外すとき、ランプピン５ａの挿入、取外しが容易となるとともに、ランプピンの挿入位置で直管ランプ５を挿入、取外すとき、及びランプピンの装着位置でランプピン５ａを装着するとき、押圧が解放され節度感が得られるので、それぞれの位置にきたことを認識できるようにしたが、回転子２の受け部２ｂに凸部２ｄを設けず、また、回転案内リブ１ｄに凹部１ｃを設けず、ランプピン挿入用開口部１ｂの開口幅及び受け部２ｂの切欠き部２ｆの開口幅を狭め、ランプピン５ａのピン径に、より近づけてもよい。
【００１７】
本ランプソケットの回転案内リブ１ｄは、ソケット本体１の前面板の裏面から立設して形成され回転子２の受け部２ｂと接触する円形リブの代わりに、前面板の裏側に（内部側に）回転子２の受け部２ｂの外周部を収容する同じく凹部１ｃを有する溝部を形成し回転を案内してもよい。
また、本ランプソケットの回転案内リブ１ｄは、図３、４に示す（図３、４は、円筒部２ａの内周面に接触の例）ように、円形のリブをカバー４の背面板から立接し、カバー４を取付けたとき、回転子２の円筒部２ａの内周面または外周面に接触するようにし、これらの円形のリブを回転子２の回転を案内する回転案内リブ４ａとしてもよい。要するに、回転子２を回転させるとき、回転子２の回転を案内する回転子回転案内手段として、受け部２ｂを案内する回転案内リブ１ｄの単独、回転案内リブ１ｄと円筒部２ａを案内する回転案内リブ４ａのいずれかとの組合せ、または、回転案内リブ４ａのいずれかの単独のいずれを用いてもよい。
【００１８】
本ランプソケットは、ソケット本体１を板状とし、カバー４を箱状とし、部品は適宜それぞれに備え付けるようにしてもよい。
なお、本ランプソケットの回転子２の前後方向の移動は、図３、図４に示すように、ソケット本体の前面板及びカバー４の背面板により規制されている。
【００１９】
また、本ランプソケットは、回転子回転案内手段が、円形開口部１ａを形成する前面板の裏面から立設し、回転子２の受け部２ｂの外周部を案内する円形の回転案内リブ１ｄ及びカバー４の背面板から立設し、回転子２の円筒部２ｂの内周面又は外周面に接触する円形の回転案内リブ４ａの三回転案内リブ１ｄ、４ａのうち、少なくともいずれかであるようにしたので、回転子２の回転を所定の位置で回転するようにでき、信頼性の高いランプソケットを提供できる。
【００２０】
また、図５に示すように、本ランプソケットを照明器具（照明器具本体）に搭載することにより、信頼性の良い、組立性の良い照明器具が得られる。なお、直管ランプ５を点灯させる照明器具の点灯装置は、反射板の内側に設置されている。
【図面の簡単な説明】
【００２１】
【図１】本発明の実施の形態１のランプソケットを示す分解斜視図である。
【図２】本発明の実施の形態１のランプソケットを示す正面図である。
【図３】直管ランプのランプピンを挿入した（装着前）図２のランプソケットのＡ−Ａ線断面図である。
【図４】直管ランプのランプピンを装着した図２のランプソケットのＡ−Ａ線断面図である。
【図５】本発明の実施の形態１のランプソケットを取付け、直管ランプを装着した照明器具を示す斜視図である。
【符号の説明】
【００２２】
１  ソケット本体、１ａ  円形開口部、１ｂ  ランプピン挿入用開口部、１ｄ  回転子回転案内手段（回転案内リブ）２  回転子、２ａ  円筒部、２ｂ  受け部、２ｃ  ランプピンの装着部、２ｆ  切欠き部、３  導電金具、３ａ  給電部、４  カバー、４ａ  回転子回転案内手段（回転案内リブ）、５  直管ランプ、５ａ  ランプピン。
【図１】
2006185801.tif 000003
【図２】
2006185801.tif 000004
【図３】
2006185801.tif 000005
【図４】
2006185801.tif 000006
【図５】
2006185801.tif 000007